(57)【特許請求の範囲】
【請求項１】
遊技球が打ち出される遊技領域を備えた遊技機本体と、前記遊技機本体の前面を回動自在とする扉部材と、前記扉部材と前記遊技機本体とを回動自在に連結するヒンジ部と、前記ヒンジ部を支点に回動する前記扉部材の主要部及び側端部と、前記扉部材開閉時に前記扉部材の側端部が前記遊技機本体と触接せずに前記ヒンジ部を支点に回動自在とする隙間部と、を有する遊技機であって、打ち出された遊技球を前記隙間部へ進入させない進入防止部材を設け、この進入防止部材は、前記扉部材側に設けられていることを特徴とする遊技機の扉構造。
【請求項２】
前記進入防止部材は、少なくとも前記扉部材閉鎖時において前記球を前記隙間部へ進入させないことを特徴とする請求項１に記載の遊技機の扉構造。
【請求項３】
前記進入防止部材は、少なくとも前記ヒンジ部の下側に設けられていることを特徴とする請求項１または２に記載の遊技機の扉構造。
【請求項４】
前記進入防止部材は、略平面視円弧状部を有するブロック部と、遊技球との当接面としてブロック部の上側に設けられた上面を備え、この上面の広さを、遊技球が乗ることが不可能な広さとしたことを特徴とする請求項１〜３のいずれかに記載の遊技機の扉構造。
【発明の詳細な説明】
【０００１】
【発明の属する技術分野】
この発明は、遊技機本体の前面を開閉自在とする扉部材を有する遊技機の扉構造に係り、特に扉開放時に扉部材の主要部及び側端部がヒンジ部を支点として回動可能にするために設けた隙間部に遊技球を進入させない遊技機の扉構造に関するものである。
【０００２】
【従来の技術】
従来の遊技機１は、図８の斜視図に示すように、縦長な方形状に枠組みにて構成され遊技機１の設置場所に強固に固定される遊技機本体と扉部材とから構成される。そして、遊技機本体は、外枠３と、その外枠３に一側を保持され、且つその外枠３に対して開閉自在に設けられた表枠４と、を備えている。なお、表枠４にはパチンコ遊技機１を構成する主要構成部品のほぼ全てが集約されて構成されているもので、実質的な遊技機本体といえる。
【０００３】
表枠４に設けられる主要構成部品としては、盤面が遊技領域とされる遊技盤６と、この遊技盤６に設けられた遊技領域に遊技に要する球（以下、パチンコ玉という）を打ち出す発射装置（遊技球処理部）と、パチンコ玉が入賞した際に遊技機１から払い出される賞球や、現金あるいは遊技球貸し出し専用カード（パチンコ・プリペイドカード）から貸し出される貸球を必要に応じて所定個数排出するパチンコ玉払出ユニット（図示せず）と、遊技盤６の裏面側の方向に設けられた各種装置を制御することで遊技状態を制御する制御装置（図示せず）とが挙げられる。
【０００４】
尚、本発明における遊技に要する球（パチンコ玉）とは、前記遊技機による所定遊技を進行させるために現金と変換して使用する、直径１１mm程度の球状の玉、又は、直径２５mm〜３０mmで、且つ厚さ１．２mm程度のメダルとしての価値媒体などにより前記所定遊技を進行させる遊技機用価値媒体である。
【０００５】
一方、扉部材は、表枠４の前面を上側と下側とに２分割して開閉自在とし、表枠４の前面上側を開閉自在とする窓枠５と、表枠４の前面下側を開閉自在とする球受皿付き支持部材２とから構成される。そして、窓枠５は、表枠４の前面上側にある遊技盤６の遊技領域全体をその枠内にほぼ覗きみることができる透視部９を備えている。この透視部９には、その外周に沿って装飾ＬＥＤ・装飾ランプや、スピーカー１２，１２等が設けられている。この装飾ＬＥＤ・装飾ランプは、遊技の進行状況に応じて点滅する。また、スピーカー１２，１２は遊技の進行状況に応じて各種効果音を発する。
【０００６】
一方、表枠４の前面下部に開閉自在に設けられた球受皿付き支持部材２には、パチンコ玉を貯留する球受皿１９や、発射装置を操作するための操作ハンドル８が設けられている。この球受皿１９は、球受皿付き支持部材２と一体構成になっている。
【０００７】
そして、球受皿１９は、パチンコ玉払出ユニットから球排出通路を介して払い出されるパチンコ玉を貯留する。また、球受皿付き支持部材２の開放時に、表枠４側に設置された球排出通路端部（開口）や発射装置等を覗きみることができる。
【０００８】
なお、図８において球受皿１９は、遊技機１に対して一皿のみ設けられているが、球受皿１９は一皿のみのものとは限られず、上下２段と分かれてなる２つの球受皿が備えられているものでも良い。
【０００９】
次に、窓枠５を開閉自在とするヒンジ部の構造を図９〜図１３に基づき説明する。
【００１０】
窓枠５は、図９に示すように、上下一対の上側ヒンジ部３０及び下側ヒンジ部４０により回動自在に軸支されている。上側ヒンジ部３０は、窓枠５に上下移動自在に取り付けられた軸（図示せず）と、この軸を軸支するため表枠４に取り付けられた軸受部とを備えている。
【００１１】
また、下側ヒンジ部４０は、図１０に示すように、表枠４に設けられた軸受板４１と、図１１に示すように、窓枠５に取り付けられ表枠４の軸受板４１における軸受孔４２に挿入される軸部４３とを備えている。なお、図１０及び図１１中の符号４４は、窓枠５の側端部を形成する断面Ｌ字状のアングル部材である。また、図１０は窓枠５が開いた状態を示し、図１１は窓枠５が閉じた状態を示している。
【００１２】
表枠４の軸受板４１は、図１１に示すように、表枠４のフレーム４５より少し低い位置に配置されており、フレーム４４と軸受板４１との間に段差が付いている。そして、窓枠５を閉じた状態では、軸受板４１の上方にその片側面がアングル部材４４で囲まれ、他側面が表枠４側に開放された隙間部（空間）４６が存在する。
【００１３】
この隙間部４６は、図１２（ａ）に示すように、比較的広くなっている。そして、窓枠５を開く場合には、図１２（ｂ）に示すように、窓枠５のアングル部材４４が、表枠４のフレーム４５を避けて軸受板４１上の隙間部４６を通過するようになっている。
【００１４】
【発明が解決しようとする課題】
ところで、従来の遊技機１においては、窓枠５を表枠４に対して閉じた状態では、上述のように、軸受板４１の上方に比較的広い隙間部４６が存在し、この隙間部４６が表枠４側に開放されているので、図１３（ａ）に示すように、遊技中のパチンコ玉４７が遊技領域から下方へこぼれ落ちたり、球案内レールにより所定遊技領域へ誘導できない球（いわゆる、ファール球）が下方へこぼれ落ちると、図１３（ｂ）に示すように、パチンコ玉４７が隙間部４６に入り込んで軸受板４１上に乗り、この状態から軸受板４１と表枠４のフレーム４５との段差を乗り越えることができずに、パチンコ玉４７が隙間部４６に停留してしまうことがあった。
【００１５】
パチンコ玉４７が隙間部４６に停留した状態にあると、停留したパチンコ玉４７が窓枠５の開放動作を阻害することがある。そして、窓枠５を無理に開放しようとすると、窓枠５のアングル部材４４が停留したパチンコ玉４７を表枠４側（遊技機本体側）に押圧することで、表枠４あるいはアングル部材４４を破損してしまう虞がある。
【００１６】
また、停留したパチンコ玉４７は、遊技者が遊技に用いるために遊技者に返還すべきものであり、パチンコ玉４７が隙間部４６に停留した状態にあると、パチンコ玉４７を探し出すのが困難であるといった問題があった。
【００１７】
本発明は、前記問題点に鑑みなされたもので、前記扉部材の閉鎖時に遊技球が隙間部に進入するのを防止できる遊技機の扉構造を提供することを技術的課題とする。
【００１８】
【課題を解決するための手段】
本発明の遊技機の扉構造は、前述の技術的課題を解決するために以下のように構成されている。
【００１９】
すなわち、本発明の遊技機の扉構造は、遊技球が打ち出される遊技領域を備えた遊技機本体と、前記遊技機本体の前面を回動自在とする扉部材と、前記扉部材と前記遊技機本体とを回動自在に連結するヒンジ部と、前記ヒンジ部を支点に回動する前記扉部材の主要部及び側端部と、前記扉部材開閉時に前記扉部材の側端部が前記遊技機本体と触接せずに前記ヒンジ部を支点に回動自在とする隙間部と、を有する遊技機であって、打ち出された遊技球を前記隙間部へ進入させない進入防止部材を設け、この進入防止部材は、前記扉部材側に設けられていることを特徴とする。
【００２０】
なお、ヒンジ部とは、ヒンジピンなどを用いて、中心軸の周りに互いに揺動したり、回転できる構造をいう。このヒンジ構造の支点、連結点をそれぞれ回転支点、滑節という。また、進入防止部材は、樹脂、金属など適宜の材料で形成できる。
【００２１】
この構成により、前記扉部材の閉鎖時に球が下側ヒンジ部の隙間部に進入しようとしても進入防止部材が隙間部を塞いでいるので、隙間部への球の進入を防止できる。そして、進入防止部材は、隙間部に球を進入させないことで、遊技者に１個でも損をさせないよう作用する。また、球を停留させないので、球が隙間部内で扉部材の側端部の回動を阻害しないように作用する。従って、扉開放時に、扉部材の側端部が球を遊技機本体側に押圧することで扉部材又は遊技機本体側が破損するといったことは解消する。
【００２２】
本発明の遊技機の扉構造は、前述した必須の構成要素からなるが、その構成要素が具体的に以下のような場合であっても成立する。
【００２３】
すなわち、本発明の遊技機の扉構造において、前記進入防止部材は、少なくとも前記扉部材閉鎖時において前記球を前記隙間部へ進入させないことを特徴とする。
【００２４】
また、本発明の遊技機の扉構造において、前記進入防止部材は、前記ヒンジ部の下側に設けられていることを特徴とする。
【００２６】
更にまた、本発明の遊技機の扉構造において、前記進入防止部材は、略平面視円弧状部を有するブロック部と、遊技球との当接面としてブロック部の上側に設けられた上面を備え、この上面の広さを、遊技球が乗ることが不可能な広さとしている。すなわち、遊技球が当接する部分の最小幅が遊技球の半径より小さくなるように制限する壁部を有している。
【００３０】
【発明の実施の形態】
以下、この発明の遊技機の扉構造に係る一実施形態を、弾球遊技機（パチンコ遊技機）を例として図１〜図７を参照しながら説明する。なお、以下の一実施形態の全図においては、同一または対応する部分には同一の符号を付す。
【００３１】
［パチンコ遊技機の構造］
パチンコ遊技機１は、図１の斜視図に示すように、縦長な方形状に枠組みにて構成され遊技機１の設置場所に強固に固定される遊技機本体と扉部材とから構成される。そして、遊技機本体は、外枠３と、その外枠３に一側を保持され、且つその外枠３に対して開閉自在に設けられた表枠４と、を備えている。なお、表枠４にはパチンコ遊技機１を構成する主要構成部品のほぼ全てが集約されて構成されているもので、実質的な遊技機本体といえる。
【００３２】
表枠４に設けられる主要構成部品としては、盤面が遊技領域とされる遊技盤６と、この遊技盤６に設けられた遊技領域に遊技に要する球（以下、パチンコ玉という）を打ち出す発射装置（遊技球処理部）と、パチンコ玉が入賞した際に遊技機１から払い出される賞球や、現金あるいは遊技球貸し出し専用カード（パチンコ・プリペイドカード）から貸し出される貸球を必要に応じて所定個数排出するパチンコ玉払出ユニット（図示せず）と、遊技盤６の裏面側の方向に設けられた各種装置を制御することで遊技状態を制御する制御装置（図示せず）とが挙げられる。
【００３３】
尚、本発明における遊技に要する球（パチンコ玉）とは、前記遊技機による所定遊技を進行させるために現金と変換して使用する、直径１１mm程度の球状の玉、又は、直径２５〜３０mmで、且つ厚さ１．２mm程度のメダルとしての価値媒体などにより前記所定遊技を進行させる遊技機用価値媒体である。
【００３４】
遊技盤６は、表枠４の裏面側に一体的に形成される遊技盤６の収納枠に収納固定されるべく、ほぼ正方形状の合板により形成されている。その前面には、ほぼ円形状に植立され、発射装置７により打ち出されたパチンコ玉の行き先を誘導する誘導レール１３と、この誘導レール１３によって囲まれた領域に設けられた、釘（ゲージ）や風車などの障害物１４と、パチンコ玉が入ることで賞球を払い出させる条件成立の契機となる入賞口１５，１５が複数設けられている。
【００３５】
また、遊技盤６の中央には、種々の図柄および情報を遊技の進行に合わせて表示する画像表示装置１７が設けられている。画像表示装置１７の直下には、画像表示装置１７の表示内容を可変せしめるためのトリガーとなるパチンコ玉を受け入れる始動入賞口（始動口）１８が設けられている。これらの入賞口１５，１５あるいは始動入賞口１８にパチンコ玉が入ると、所定数のパチンコ玉が賞球として払い出される。
【００３６】
さらに、遊技盤６の最下部には、いずれの入賞口１５，１５，１８にも入賞しなかったパチンコ玉が取り込まれるアウト口１６が設けられている。
【００３７】
一方、扉部材は、表枠４の前面を上側と下側とに２分割して開閉自在とし、表枠４の前面上側を開閉自在とする窓枠５と、表枠４の前面下側を開閉自在とする球受皿付き支持部材２とから構成される。
【００３８】
そして、窓枠５は、表枠４の前面上側にある遊技盤６の遊技領域全体をその枠内にほぼ覗きみることができる透視部９を備えている。この透視部９には、その外周に沿って装飾ＬＥＤ・装飾ランプや、スピーカー１２，１２等が設けられている。この装飾ＬＥＤ・装飾ランプは、遊技の進行状況に応じて点滅する。また、スピーカー１２，１２は遊技の進行状況に応じて各種効果音を発する。
【００３９】
また、表枠４の前面下部に開閉自在に設けられた球受皿付き支持部材２には、パチンコ玉を貯留する球受皿１９や、発射装置を操作するための操作ハンドル８が設けられている。この球受皿１９は、球受皿付き支持部材２と一体構成になっている。
【００４０】
そして、球受皿１９は、パチンコ玉払出ユニットから球排出通路を介して払い出されるパチンコ玉を貯留する。また、球受皿付き支持部材２の開放時に、表枠４側に設置された球排出通路端部（開口口）や発射装置等を覗きみることができる。
【００４１】
なお、図１において球受皿１９は、パチンコ遊技機１に対して一皿のみ設けられているが、球受皿１９は一皿のみのものとは限られず、上下２段と分かれてなる２つの球受皿が備えられているものでも良い。
【００４２】
また、この球受皿１９は、パチンコ遊技機１の前面から前方に突出されており、球受皿１９の右側部分の底面は、発射装置７へパチンコ玉を案内する穏やかな傾斜が設けられている。この傾斜の上流には、入賞時に払い出される賞球を払い出す賞球払出口２２が設けられている。
【００４３】
さらに、斜面の途中には、貯留されたパチンコ玉を排出する抜き穴２３が設けられている。この抜き穴２３は通常閉じているが球抜き釦３１を押下することで開き、球受皿１９上のパチンコ玉は抜き穴２３を介して、パチンコ遊技機１の外部に排出される。
【００４４】
次に、窓枠５を開閉自在とするヒンジ部の構造を図２〜図７に基づき説明する。窓枠５は、図２に示すように、上下一対の上側ヒンジ部３０及び下側ヒンジ部４０により回動自在に軸支されている。上側ヒンジ部３０は、窓枠５側に取り付けられた軸部（図示せず）と、表枠４に取り付けられ窓枠５の軸部を支持する軸受部とを備えている。
【００４５】
また、下側ヒンジ部４０は、図３に示すように、表枠４に設けられた軸受板４１と、窓枠５に取り付けられ表枠４の軸受板４１における軸受孔４２（図５）に挿入される軸部４３とを備えている。
【００４６】
更に、本発明では、扉部材である窓枠５の開閉時に窓枠５の側端部であるアングル部材４４が、遊技機本体すなわち表枠４と触接せずに、下側ヒンジ部４０を支点に回動自在とするための隙間部４６（図６（ａ））に、パチンコ玉４７が進入して停留するのを防止する進入防止部材４８が設けられている。
【００４７】
この進入防止部材４８は、図４に示すように、隙間部４６の大部分を塞ぐことが可能な大きさを有し、且つ、下側ヒンジ部４０の回動に支障をきたさないように略平面視円弧状部を有するブロック部４８ａと、パチンコ玉４７との当接面としてブロック部４８ａの上側に設けられた平坦な上面４８ｂと、この上面４８ｂの広さを、パチンコ玉４７が乗ることが不可能な広さ、すなわち、パチンコ玉４７が当接する部分の最小幅がパチンコ玉４７の半径より小さくなるように制限する壁部４８ｃとを有している。この進入防止部材４８は、その壁部４８ｃをブラケット４９を介して窓枠５のアングル部材４４に取り付けることにより固定されている。
【００４８】
次に、この進入防止部材４８の作用を説明する。図５に示すように、窓枠５が閉じた状態では、表枠４の軸受板４１と、窓枠５のアングル部材４４とで形成される隙間部４６（図６（ａ））内に、アングル部材４４に固定された進入防止部材４８が配置される。
【００４９】
この進入防止部材４８のブロック部４８ａは、その底面が軸受板４１に近接又は当接し、上面４８ｂは表枠４のフレーム４５の上面部よりも少し高い位置となるようにし、パチンコ玉４７を停留させにくくしている。また、ブロック部４８ａとフレーム４５間の隙間は、殆ど塞がれる。すなわち、進入防止部材４８は隙間閉鎖機能を有する。
【００５０】
そして、上述のように進入防止部材４８のブロック部４８ａの上面４８ｂはパチンコ玉４７が乗ることが不可能な広さに制限されているので、図６（ａ）に示すように、遊技中のパチンコ玉４７が遊技領域から下方へこぼれ落ちたり、球案内レールにより所定遊技領域へ誘導できない球（いわゆる、ファール球）が下方へこぼれ落ちたりして、パチンコ玉４７が下側フランジ部４０に入り込み、進入防止部材４８におけるブロック部４８ａの上面４８ｂ上に瞬間的に乗ったとしても、図６（ｂ）にも示すように、上面４８ａはパチンコ玉４７が停留するだけの広さがないので、パチンコ玉４７が上面４８ａ上に停留することなく、表枠４のフレーム４５側に流れていくことになる。
【００５１】
従って、図７に示すように、下側フランジ部４０の隙間部４６にパチンコ玉４７が停留することはないので、窓枠５を開けるときに、そのフランジ部４４が何の障害もなく隙間部４６を通過することができる。
【００５２】
このように、本発明は、進入防止部材４８によって隙間部４６にパチンコ球４７が進入して停留するのを防止でき、遊技者に１個でも損をさせないよう作用する。
【００５３】
また、パチンコ球４７を隙間部４６に停留させないので、パチンコ球４７が隙間部４６内で窓枠５の側端部であるアングル部材４４の回動を阻害しないように作用する。従って、窓枠５の開放時に、窓枠５の側端部であるアングル部材４４がパチンコ球４７を遊技機本体１側に押圧することで窓枠５又は遊技機本体１側が破損するのを防止できる。
【００５４】
［別の実施の形態］
次に、本発明に係る遊技機の扉構造における別の実施形態を説明する。上述の実施形態では、進入防止部材４８の上面４８ｂを平坦面とし、その広さを制限することによって、パチンコ玉４７が停留しないようにしたが、この上面４８ｂの形状をパチンコ玉４７が停留しない形状とすることができる。
【００５５】
例えば、上面４８ｂを窓枠５のフランジ部材４４から表枠４のフレーム４５側にかけて下り傾斜となる傾斜面とすることができる。これにより、パチンコ玉４７が上面４８ｂに瞬間的に乗り上げたとしても、パチンコ玉４７は傾斜に沿って自然落下し、表枠４側の遊技領域に流れていく。すなわち、上面４８ｂが案内部材として作用し、隙間部４６にパチンコ玉４７が停留するのをより確実に防止できる。
【００５６】
なお、上述の実施形態では、進入防止部材４８を窓枠５側に取り付けて、窓枠５の開閉に伴って進入防止部材４８が隙間部４６に出入するようにしたが、進入防止部材を表枠４側に移動自在に取り付け、窓枠５の開閉に伴って作動する適宜な移動手段によって、進入防止部材を隙間部４６に出入させることもできる。そして、窓枠５を閉じたときに進入防止部材が隙間部４６内に配置され、窓枠５を開けるときにはその初期に進入防止部材が隙間部４６から出ていくようにすればよい。
【００５７】
また、本発明における進入防止部材は、ヒンジ部近傍に設けられていればよく、遊技機を構成する複数のヒンジ部に対して設けられるようにしてもよい。
【００５８】
【発明の効果】
この発明によれば、扉部材の閉鎖時に球が隙間部に進入しようとしても進入防止部材が隙間部を塞いでいるので、隙間部への球の進入及び停留を防止できる。そして、進入防止部材は、隙間部に球を進入させないことで、遊技者に１個でも損をさせないよう作用する。また、球を停留させないので、球が隙間部内で扉部材の側端部の回動を阻害しないように作用する。従って、扉開放時に、扉部材の側端部が球を遊技機本体側に押圧することで扉部材又は遊技機本体側が破損するといった問題を解消できる。
【図面の簡単な説明】
【図１】この発明の一実施形態による遊技機を示す斜視図である。
【図２】この発明の一実施形態による遊技機の扉部材を開いた状態を示す斜視図である。
【図３】この発明の一実施形態による遊技機の下側フランジ部を示す斜視図である。
【図４】この発明の一実施形態による遊技機の下側フランジ部を示す分解斜視図である。
【図５】この発明の一実施形態による遊技機の下側フランジ部における進入防止部材の配置を示す断面図である。
【図６】この発明の一実施形態による遊技機の進入防止部材の作用を説明する図であり、図６（ａ）は上面図、図６（ｂ）は断面図である。
【図７】この発明の一実施形態による遊技機の扉部材を開いたときの隙間部を示す上面図である。
【図８】従来の遊技機を示す斜視図である。
【図９】従来の遊技機における扉部材を開いた状態を示す斜視図である。
【図１０】従来の遊技機における下側フランジ部を示す斜視図である。
【図１１】従来の遊技機における下側フランジ部の隙間部を示す断面図である。
【図１２】従来の遊技機における下側フランジ部の隙間部を示す図であり、図１２（ａ）は扉部材を閉じた状態を示す上面図、図１２（ｂ）は扉部材を開いた状態を示す上面図である。
【図１３】従来の遊技機における下側フランジ部の隙間部にパチンコ玉が停留した状態を示す図であり、図１３（ａ）は上面図、図１３（ｂ）は断面図である。
【符号の説明】
Ｉ  パチンコ遊技機（遊技機）
２  球受皿付き支持部材（扉部材）
２ａ  主要部
２ｂ  側端部
３  外枠
４  表枠
５  窓枠（扉部材）
６  遊技盤
７  発射装置
８  操作ハンドル
９  透過窓
１０  装飾ＬＥＤ
１１  装飾ランプ
１２  スピーカー
１３  誘導レール
１４  障害物
１５  入賞口
１６  アウト口
１７  画像表示装置
１８  始動入賞口
１９  球受け皿
２２  賞球払出口
２３  抜き穴
３０  上側ヒンジ部
４０  下側ヒンジ部
４１  軸受板
４２  軸受孔
４３  軸
４４  アングル部材（側端部）
４５  フレーム
４６  隙間部
４７  パチンコ玉
４８  進入防止部材
４８ａ  ブロック部
４８ｂ  上面（当接面）
４８ｃ  壁部
【図１】
0003936207.tif 000002
【図２】
0003936207.tif 000003
【図３】
0003936207.tif 000004
【図４】
0003936207.tif 000005
【図５】
0003936207.tif 000006
【図６】
0003936207.tif 000007
【図７】
0003936207.tif 000008
【図８】
0003936207.tif 000009
【図９】
0003936207.tif 000010
【図１０】
0003936207.tif 000011
【図１１】
0003936207.tif 000012
【図１２】
0003936207.tif 000013
【図１３】
0003936207.tif 000014